(57)【特許請求の範囲】
【請求項１】
基板と、基板の両側から起立する側板を有するホルダー本体を備え、前記両側の側板の間の空間に光学部品が配設される光学部品用ホルダーであって、
前記基板の面に対して交わり、かつ、前記両側の側板の内面に対してそれぞれ交わる角度で遮光絞りが配設され、
前記遮光絞りは、両側の側板の互いに向かい合う内面間にわたって延在する幅を有する本体板部と、本体板部の幅方向両側から突設されたフランジとを備え、前記本体板部の幅方向の両側と、前記両側のフランジとに、基板に対する側板の倒れを阻止する係合部が設けられている、
ことを特徴とする光学部品用ホルダー。
【請求項２】
前記係合部は、前記本体板部の幅方向の両側に設けられた第１係合部と、前記両側のフランジに設けられた第２係合部から構成され、前記第１係合部は、両側の側板の互いに近づく方向への倒れを阻止するように構成され、前記第２係合部は、両側の側板の互いに離れる方向への倒れを阻止するように構成されていることを特徴とする請求項１記載の光学部品用ホルダー。
【請求項３】
前記第２係合部は、前記基板から離れた側板の先端部分において、両側の側板の外面に係合するように形成されていることを特徴とする請求項２記載の光学部品用ホルダー。
【請求項４】
前記両側の側板の先端部分には、側板の先端側に開放状の長溝が設けられ、前記遮光絞りの本体板部の幅方向両側に前記長溝に挿脱可能に軸が突設され、前記フランジは前記軸の先端に前記軸の断面よりも大きな断面の円板状に形成され、前記第２係合部は、長溝に軸が挿入された状態で前記長溝の周囲の側板外面箇所に係合するように構成されていることを特徴とする請求項２または３記載の光学部品用ホルダー。
【請求項５】
前記軸が長溝に挿入され、前記第２係合部が前記長溝の周囲の側板外面箇所に係合した状態で、前記フランジの外周部は前記側板の先端から離れた箇所に位置していることを特徴とする請求項４記載の光学部品用ホルダー。
【請求項６】
前記基板上で両側の側板の間の空間に複数の光学部品が配設され、前記遮光絞りはこれら光学部品の間に配設され、前記基板および遮光絞りには、前記各光学部品を通る光を通過させると共に迷光を遮断する開口が設けられていることを特徴とする請求項１乃至５に何れか１項記載の光学部品用ホルダー。
【請求項７】
前記光学部品用ホルダーは、前記ホルダー本体の両側の側板の先端間に係脱可能に被せられる蓋部材を備え、前記蓋部材は、前記両側の側板の先端間にわたって延在する幅を有する閉塞板部を有し、前記閉塞板部の幅方向両側に、前記第２係合部よりも側板の先端側箇所に係合して両側の側板の倒れを阻止する第３係合部が設けられていることを特徴とする請求項４記載の光学部品用ホルダー。
【請求項８】
前記閉塞板部の延在方向の両側に、前記両側の側板の側端縁に係合して両側の側板の倒れを阻止する第４係合部が設けられ、前記第３係合部と第４係合部では、阻止する側板の倒れ方向が逆であることを特徴とする請求項７記載の光学部品用ホルダー。
【請求項９】
前記側板の先端の外面箇所および長溝の周囲の側板の外面箇所には外面を低くした薄肉部が形成され、前記第２係合部と第３係合部が前記薄肉部の外面に係合した状態で、前記フランジの外面と蓋部材の外面と側板の外面とがほぼ同一面となるように形成されていることを特徴とする請求項７または８記載のプリズムのホルダーの構造。
【請求項１０】
前記複数の光学部品で構成される光路は、光が前記閉塞板部を通過して一方の光学部品を通り、前記遮光絞りを通過したのち他方の光学部品を通って基板を通過するように構成され、前記閉塞板部と遮光絞りと基板には、前記光を通過させると共に迷光を遮断する開口がそれぞれ形成されていることを特徴とする請求項７、８または９記載の光学部品用ホルダー。
【請求項１１】
前記光学部品は複数のプリズムであり、これら複数のプリズムにより正立プリズムが構成されていることを特徴とする請求項１乃至１０に何れか１項記載の光学部品用ホルダー。
【発明の詳細な説明】
【０００１】
【発明の属する技術分野】
本発明は複数の光学部品を保持する光学部品用ホルダーに関する。
【０００２】
【従来の技術】
正立プリズムなどのような複数の光学部品の組み合わせからなる光学ユニットは、各種の光学機器に組み込まれている。
このような光学ユニットを光学機器の内部で位置調節する場合、光学機器の内部において各光学部品自体を動かすのでは、調整の効率が悪く、また、光学部品が損傷するなどの不具合が生じる。
そこで、従来、複数の光学部品をホルダーで予め一体的に保持しておき、複数の光学部品の位置調節は、光学機器の内部でこのホルダーを動かし、１つの光学ユニットとしての位置調節を行なうことでなされるように構成されている。
この種の光学部品用ホルダーは、基板と、基板の両側から起立する側板を有するホルダー本体を備えており、複数の光学部品は、両側板の間の空間にそれぞれ配設される。
【０００３】
【発明が解決しようとする課題】
このような光学部品用ホルダーにおいて、ホルダー本体を構成する両側の側板は基板の両側から起立しているので、互いに離間接近する方向への倒れや同一方向への傾く変形に対して弱く、何らかの補強対策が必要となる。
しかし、基板の全周から側板を起立させた筐状にホルダー本体を形成すると、内部への光学部品の配設作業性が悪くなり、また、光学部品を組み込むためにホルダー本体内に余分なスペースが必要となり、ホルダー本体の大型化を招く。
本発明は前記事情に鑑み案出されたものであって、本発明の目的は、光学部品の配設用スペースを増加させることなくホルダー本体の剛性を高め、また、組み立ても簡単に行なえる光学部品用ホルダーを提供することにある。
【０００４】
【課題を解決するための手段】
前記目的を達成するため本発明は、基板と、基板の両側から起立する側板を有するホルダー本体を備え、前記両側の側板の間の空間に光学部品が配設される光学部品用ホルダーであって、前記基板の面に対して交わり、かつ、前記両側の側板の内面に対してそれぞれ交わる角度で遮光絞りが配設され、前記遮光絞りは、両側の側板の互いに向かい合う内面間にわたって延在する幅を有する本体板部と、本体板部の幅方向両側から突設されたフランジとを備え、前記本体板部の幅方向の両側と、前記両側のフランジとに、基板に対する側板の倒れを阻止する係合部が設けられていることを特徴とする。
【０００５】
本発明では、光学部品用ホルダーに配置される遮光絞りを利用してホルダー本体の両側の側板が補強される。
【０００６】
【発明の実施の形態】
以下、光学部品用ホルダーが正立プリズムを保持するプリズムホルダーである実施の形態について図面を参照して説明する。
図１はプリズムホルダーの斜視図、図２はプリズムホルダーの分解斜視図、図３はプリズムホルダーの断面正面図を示す。
図１乃至図３に示すように、プリズムホルダー(特許請求の範囲の光学部品用ホルダーに相当)１０は２つのプリズム１２Ａ、ダハプリズム１２Ｂからなる正立プリズム１２を保持するもので、プリズムホルダー１０は、ホルダー本体１４と、遮光絞り１６と、蓋部材１８とで構成され、正立プリズム１２を保持するプリズムホルダー１０は２つ設けられ、それぞれ双眼鏡の左右の鏡胴に組み込まれる。
【０００７】
図４(Ａ)はホルダー本体の正面図、(Ｂ)は同平面図、(Ｃ)は(Ｂ)のＣＣ断面図、図５(Ａ)は図４(Ｂ)のＸ矢視図、(Ｂ)は同底面図、(Ｃ)は図４(Ｂ)のＹＹ断面図を示す。
前記ホルダー本体１４は、図４、図５に示すように、平面視長方形の基板１４０２と、この長方形の長辺をなす基板１４０２の両側から起立する側板１４０４と、長方形の短辺をなす基板１４０２の両側から起立する端面板１４０６を備えている。
前記基板１４０２のほぼ中央には円形の開口１４０７が貫通形成され、基板１４０２の上面には、遮光絞り１６の下端を位置決めするための凹部１４０８が２つ形成されている。
前記両側の側板１４０４は、互いに等しい高さで互いに平行して延在する上辺１４１０と、前記上辺１４１０の延在方向の両端から前記基板１４０２側に斜めに延在する傾斜辺１４１２と、傾斜辺１４１２の下端から上辺１４１０に平行して延在する中間辺１４１４と、中間辺１４１４の端部から下方に延在する下辺１４１６を有する。
前記端面板１４０６は両側の下辺１４１６の下端を接続するように設けられ、前記下辺１４１６には係合凹部１４１７が形成されている。
【０００８】
前記上辺１４１０の延在方向の端部寄り箇所には上方に開放状の長溝１４１８が形成されている。
また、両側の側板１４０４の外面で前記上辺１４１０の上縁に沿った箇所に、側板１４０４の肉厚を薄くするように側板１４０４の外面よりも高さを低くした薄肉部１４２０が設けられ、この薄肉部１４２０は前記長溝１４１８の縁に沿っても延在形成されている。
そして、図５(Ａ)、(Ｃ)で示すように、両側の側板１４０４の互いに向かい合う内面１４０４Ａ間の寸法および両側の側板１４０４の薄肉部１４２０の外面１４２０Ａ間の寸法は高い寸法精度で形成されている。
また、両側の側板１４０４には２つのプリズム１２Ａ、ダハプリズム１２Ｂを接着するための開口１４２２，１４２４が設けられている。
【０００９】
図６(Ａ)は遮光絞りの平面図、(Ｂ)は(Ａ)のＢＢ断面図、(Ｃ)は(Ａ)のＣＣ断面図、(Ｄ)は(Ｃ)のＤ矢視図を示す。
前記遮光絞り１６は、図６に示すように、本体板部１６０２と、フランジ１６０４と、爪部１６０６などで構成されている。
前記本体板部１６０２は、ホルダー本体１４の両側の側板１４０４間にわたって延在する幅で、この幅よりも大きい寸法で延在するほぼ長方形に形成されている。
前記本体板部１６０２の幅、すなわち、両側の側面１６０２Ａ間の寸法は、図９に示すように、遮光絞り１６を両側の側板１４０４間に挿入した際に、両側の側面１６０２Ａがそれぞれ両側の側板１４０４の内面１４０４Ａに隙間なく係合されるように、高い寸法精度で形成されている。なお、本実施の形態では前記側面１６０２Ａが特許請求の範囲の第１係合部に相当している。
【００１０】
前記本体板部１６０２の幅方向両側には、本体板部１６０２の長手方向のほぼ全長にわたって補強用のリブ１６０８が膨出形成され、また、本体板部１６０２の長手方向の一端寄りに開口１６１０が貫通形成されている。前記爪部１６０６は、前記本体板部１６０２の一端から本体板部の幅方向に間隔をおいて２つ突出形成され、爪部１６０６は前記ホルダー本体１４の凹部１４０８に係合可能に形成されている。
前記フランジ１６０４は、本体板部１６０２の長手方向の他端寄りで幅方向両側から突設されている。本実施の形態では、本体板部１６０２の長手方向の他端寄りの両側の側面１６０２Ａから軸１６１２が突出され、フランジ１６０４はこの軸１６１２の先端に円板状に形成されている。
前記軸１６１２は前記ホルダー本体１４の長溝１４１８に挿入可能な直径で形成され、また、両側のフランジ１６０４が互いに向かい合う内面１６０４Ａ間の寸法は、軸１６１２を長溝１４１８に挿入した際、図９に示すように、両側のフランジ１６０４の内面１６０４Ａがそれぞれ両側の側板１４０４の薄肉部１４２０の外面１４２０Ａに隙間なく係合されるように、高い寸法精度で形成されている。なお、本実施の形態では前記内面１６０４Ａが特許請求の範囲の第２係合部に相当している。
【００１１】
図７(Ａ)は蓋部材の平面図、(Ｂ)は(Ａ)のＢＢ断面図、(Ｃ)は同底面図、図８(Ａ)は蓋部材の正面図、(Ｂ)は(Ａ)のＢＢ断面図を示す。
前記蓋部材１８は前記ホルダー本体１４の両側板１４０４の先端間にわたって配設されている。より詳細には、図７、図８に示すように、蓋部材１８は、両側板１４０４の上辺１４１０間を塞ぐ平面視長方形の上面１８０２と、両側板１４０４の傾斜辺１４１２間を塞ぐ傾斜面１８０４と、両側板１４０４の中間辺１４１４間を塞ぐ中間面１８０６と、両側板１４０４の下辺１４１６間を塞ぐ下面１８０８などを備え、本実施の形態では、これら上面１８０２、傾斜面１８０４、中間面１８０６、下面１８０８により特許請求の範囲の閉塞板部が構成されている。
前記上面１８０２のほぼ中央には円形の開口１８１０が貫通形成されている。また、長方形の長辺をなす上面１８０２の両側部の内面からそれぞれ側板１８１２が垂設されている。
【００１２】
前記両側板１８１２が互いに向かい合う内面で側板１８１２の下縁に沿った箇所に、側板１８１２の肉厚を薄くするように側板１８１２の内面よりも高さを低くした薄肉部１８１４が設けられている。
前記薄肉部１８１４が互いに向かい合う内面１８１４Ａ間の寸法は、蓋部材１８の上面１８０２をホルダー本体１４の両側板１４０４の上辺１４１０間に被せた際に、図１０に示すように、両側の薄肉部１８１４の内面１８１４Ａが両側の側板１４０４の薄肉部１４２０の外面１４２０Ａに隙間なく係合されるように、高い寸法精度で形成されている。なお、本実施の形態では前記内面１８１４Ａが特許請求の範囲の第３係合部に相当している。
また、両側の薄肉部１８１４の内面１８１４Ａには、蓋部材１８の上面１８０２をホルダー本体１４の両側板１４０４の上辺１４１０間に被せた際に、両側板１４０４の長溝１４１８にそれぞれ挿入係合される凸部１８１６が形成されている。
【００１３】
そして、薄肉部１８１４の内面１８１４Ａと薄肉部１４２０の外面１４２０Ａを係合させて蓋部材１８の上面１８０２をホルダー本体１４の両側板１４０４の上辺１４１０間に被せた状態で、前記薄肉部１８１４の外面を含む蓋部材１８の両側の側面と、ホルダー本体１４の側板１４０４の外面とは同一面上に位置するように形成されている(図９参照)。
また、蓋部材１８の上面１８０２で両側板１４０４の上辺１４１０間を塞ぎ、傾斜面１８０４で両側板１４０４の傾斜辺１４１２間を塞ぎ、中間面１８０６で両側板１４０４の中間辺１４１４間を塞ぎ、下面１８０８で両側板１４０４の下辺１４１６間を塞いだ状態を保持する爪片１８１８が設けられている。
【００１４】
前記爪片１８１８は、図７(Ｃ)に示すように、スリット１８２０を介して前記下面１８０８の両側にそれぞれ設けられ、図８(Ａ)、(Ｂ)に示すように、上記のように蓋部材１８で両側板１４０４間を塞いだ状態で両側板１４０４の係合凹部１４１７に係合する凸部１８１８Ａを備えている。
また、両側の爪片１８１８の内側に位置する下面１８０８の両側箇所には、蓋部材１８で両側板１４０４間を塞いだ状態で、図１１に示すように、両側の側板１４０４の下辺１４１６の内面１４０４Ａに隙間なく係合する外面１８２２が形成されている。なお、本実施の形態では前記外面１８２２が特許請求の範囲の第４係合部に相当している。
前記２つの下面１８０８のうち一方の下面１８０８には、プリズム１２Ａの稜線を跨ぐ脚部１８２４が突設され、この脚部１８２４はホルダー本体１４の２つの端面板１４０６のうちの一方の端面板１４０６の欠部１４２４(図４Ｂ、図５Ａ参照)に挿入される。
【００１５】
次に、プリズムホルダー１０を組み立てる場合について説明する。
まず、プリズム１２Ａがホルダー本体１４の基板１４０２上で両側板１４０４の間の空間に収容され、次に、軸１６１２が長溝１４１８に挿入され爪部１６０６が凹部１４０８に係合されて遮光絞り１６がホルダー本体１４の基板１４０２上で両側板１４０４の間の空間に挿入される。次に、ダハプリズム１２Ｂが、両側板１４０４の間で遮光絞り１６上に収容され、これらプリズム１２Ａ、１２Ｂは両側板１４０４の開口１４２２、１４２４の縁に沿って流出された接着剤により両側板１４０４に接着され、固定される。
そして、プリズム１２Ａ、ダハプリズム１２Ｂがホルダー本体１４の両側板１４０４に固定された後、蓋部材１８が両側板１４０４間に被せられてプリズムホルダー１０とされ、このようにプリズム１２Ａ、ダハプリズム１２Ｂが組み込まれたプリズムホルダー１０は２つ設けられる。
各プリズムホルダー１０は、それぞれ双眼鏡の左右の鏡胴に組み込まれ、プリズムホルダー１０は接眼レンズと共に光軸方向に動かされ、対物レンズとの距離を変えることでピント調整が行なわれるように構成されている。
図３の矢印Ａ、Ｂ、Ｃで示すように、対物レンズで収斂される光束は、蓋部材１８の開口１８１０、プリズム１２Ａ、遮光絞り１６の開口１６１０、ダハプリズム１２Ｂ、ホルダー本体１４の開口１４０７を順に通過し、その上下左右がプリズム１２Ａ、１２Ｂにより反転され、接眼レンズに導かれる。その際、前記開口１８１０、１６１０、１４０７により迷光が遮断され、画像の鮮明化が図られる。
【００１６】
本実施の形態では、軸１６１２が長溝１４１８に挿入され爪部１６０６が凹部１４０８に係合されて遮光絞り１６がホルダー本体１４の基板１４０２上で両側板１４０４の間の空間に挿入されると、遮光絞り１６の両側の側面１６０２Ａが、ホルダー本体１４の両側の側板１４０４の内面１４０４Ａに隙間なく係合され、これによりホルダー本体１４の両側の側板１４０４の内側への倒れが阻止され、両側の側板１４０４が内側方向(互いに近づく方向)に対して補強されることになる。
また、遮光絞り１６の両側のフランジ１６０４の内面１６０４Ａが、ホルダー本体１４の両側の側板１４０４の薄肉部１４２０の外面１４２０Ａに隙間なく係合され、これによりホルダー本体１４の両側の側板１４０４の外側への倒れが阻止され、両側の側板１４０４が外側方向(互いに離れる方向)に対して補強されることになる。
【００１７】
そして、遮光絞り１６は、ホルダー本体１４の基板１４０２に対して、平行ではなく交わる角度で配設され、かつ、両側の側板１４０４の内面１４０４Ａに対してそれぞれ交わる角度(本実施の形態では９０度)で配設されているので、ホルダー本体１４の剛性が高められ、基板１４０２の両側からそれぞれ起立する側板１４０４の、互いに離間接近する方向への倒れや同一方向への傾く変形を阻止する上で極めて有利となる。
さらに、本実施の形態では、遮光絞り１６を、側板１４０４の高さ方向のほぼ全長にわたって延在させたので、ホルダー本体１４の剛性を高める上でより有利となっている。
また、遮光絞り１６を、ホルダー本体１４の基板１４０２に対して、平行ではなく交わる角度で配設したので、プリズム１２Ａをホルダー本体１４に組み込み、その後、遮光絞り１６を挿入し、最後にダハプリズム１２Ｂを組み込むことができ、光学部品の配設作業性に優れると共に、余分なスペースを確保することなくホルダー本体１４を補強でき、ホルダー本体１４の大型化を招く不具合もない。
したがって、プリズムホルダー１８の構成部材である遮光絞り１６を利用することで、部品点数を増加することなく、また、組み立てを複雑化することなくホルダー本体１４の側板１４０４を補強することができる。
【００１８】
また、本実施の形態では、蓋部材１８を用いてプリズムホルダー１８を構成しており、蓋部材１８をホルダー本体１４に被せると、蓋部材１８の両側の薄肉部１８１４の内面１８１４Ａが、ホルダー本体１４の両側の側板１４０４の薄肉部１４２０の外面１４２０Ａに隙間なく係合され、これによりホルダー本体１４の両側の側板１４０４の外側への倒れが阻止され、両側の側板１４０４が外側方向(互いに離れる方向)に対して補強されることになる。
また、蓋部材１８の両側の爪片１８１８の内側に位置する下面１８０８の外面１８２２が、ホルダー本体１４の両側の側板１４０４の下辺１４１６の内面１４０４Ａに隙間なく係合され、これによりホルダー本体１４の両側の側板１４０４の内側への倒れが阻止され、両側の側板１４０４が内側方向(互いに近づく方向)に対して補強されることになる。
したがって、プリズムホルダー１８の構成部材である蓋部材１８を利用することで、部品点数を増加することなく、また、組み立てを複雑化することなくホルダー本体１４の側板１４０４を補強することができる。
【００１９】
なお、本実施の形態では、プリズムホルダー１０が、ホルダー本体１４と、遮光絞り１６と、蓋部材１８との３つの部材で構成されている場合について説明したが、蓋部材１８のないプリズムホルダー１０にも本発明は適用される。
また、本実施の形態では、光学部品がプリズムの場合について説明したが、光学部品はレンズなどプリズム以外のものであってもよい。
【００２０】
【発明の効果】
以上の説明で明らかなように本発明は、光学部品用ホルダーの構成部材である遮光絞りを利用してホルダー本体の両側の側板を補強するようにした。
そのため、本発明によれば、部品点数を増加させることなく、また、組み立てを複雑化することなくホルダー本体の両側の側板の補強を行なうことが可能となる。
また、本発明によれば、光学部品用ホルダーが蓋部材を備える場合、この蓋部材も利用してホルダー本体の両側の側板を補強するようにした。
そのため、本発明によれば、部品点数を増加させることなく、また、組み立てを複雑化することなくホルダー本体の両側の側板の補強をより強固に行なうことが可能となる。
【図面の簡単な説明】
【図１】プリズムホルダーの斜視図である。
【図２】プリズムホルダーの分解斜視図である。
【図３】プリズムホルダーの断面正面図である。
【図４】  (Ａ)はホルダー本体の正面図、(Ｂ)は同平面図、(Ｃ)は(Ｂ)のＣＣ断面図である。
【図５】  (Ａ)は図４(Ｂ)のＸ矢視図、(Ｂ)は同底面図、(Ｃ)は図４(Ｂ)のＹＹ断面図である。
【図６】  (Ａ)は遮光絞りの平面図、(Ｂ)は(Ａ)のＢＢ断面図、(Ｃ)は(Ａ)のＣＣ断面図、(Ｄ)は(Ｃ)のＤ矢視図である。
【図７】  (Ａ)は蓋部材の平面図、(Ｂ)は(Ａ)のＢＢ断面図、(Ｃ)は同底面図である。
【図８】  (Ａ)は蓋部材の正面図、(Ｂ)は(Ａ)のＢＢ断面図である。
【図９】遮光絞りの両側の側面がホルダーの両側の側面の内面に隙間なく係合され、両側のフランジの内面がホルダーの両側の側板の薄肉部の外面に隙間なく係合された状態を示す断面側面図である。
【図１０】蓋部材の両側の薄肉部の内面がホルダーの両側の薄肉部の外面に隙間なく係合された状態を示す断面側面図である。
【図１１】蓋部材の下面の両側の外面がホルダーの両側の側板の下辺の内面に隙間なく係合された状態を示す断面平面図である。
【符号の説明】
１０  プリズムホルダー
１２  正立プリズム
１２Ａ  プリズム
１２Ｂ  ダハプリズム
１４  ホルダー本体
１４０２  基板
１４０４  側板
１６  遮光絞り
１６０２  本体板部
１６０４  フランジ
１８  蓋部材
１８０２  上面
１８１２  側板
【図１】
0004034023.tif 000002
【図２】
0004034023.tif 000003
【図３】
0004034023.tif 000004
【図４】
0004034023.tif 000005
【図５】
0004034023.tif 000006
【図６】
0004034023.tif 000007
【図７】
0004034023.tif 000008
【図８】
0004034023.tif 000009
【図９】
0004034023.tif 000010
【図１０】
0004034023.tif 000011
【図１１】
0004034023.tif 000012